(57)【要約】      （修正有）【課題】建築物壁面の装飾成形品を提供する。【解決手段】建築物壁面の装飾成形品１０は、建築物壁面１２に取り付けるための裏側面１８と表側面２０とを有する異形体１６を備え、異形体１６は、ＬＥＤリボン２４を収容するための裏側面の凹部２２と、表側面に取り付けられたコーティングフィルムとを有する。この異形体１６は、半透明な光拡散性材料で構成される。【選択図】図２
2017089374.tif 000002
【特許請求の範囲】
【請求項１】
建築物壁面の装飾成形品であって、前記建築物壁面に取り付けるための裏側面と表側面とを有する異形体を備え、前記異形体が、ＬＥＤリボンを収容するための前記裏側面の凹部と、前記表側面に取り付けられたコーティングフィルムとを有し、前記異形体が半透明な光拡散性材料で構成されることを特徴とする装飾成形品。
【請求項２】
前記異形体が、押出し成形された独立気泡ポリマーフォームからなり、前記押出し成形されたポリマーフォームの母材が、ポリスチレン、ポリ塩化ビニル、ポリエチレン、ポリプロピレン、およびポリウレタンからなる一群から選択されることが好ましい、請求項１に記載の装飾成形品。
【請求項３】
前記押出し成形されたポリマーフォームが、顔料および／または充填材を全く含まない、あるいは５重量％未満の顔料および充填材を含む、請求項２に記載の装飾成形品。
【請求項４】
前記コーティングフィルムが、透明なベースフィルムおよびプリント層を備え、前記プリント層が、前記コーティングフィルムの透過率を局所的に変調する、請求項１、２、または３に記載の装飾成形品。
【請求項５】
前記コーティングフィルムが、前記凹部の反対側で前記表側面に取り付けられた剥離可能テープを備える、または前記凹部の反対側で前記表側面に取り付けられた剥離可能テープからなり、前記剥離可能テープが、前記装飾成形品の長手方向に延びる、請求項１から４のいずれか一項に記載の装飾成形品。
【請求項６】
前記剥離可能テープが、前記表側面の高さ全体には及んでいない、請求項５に記載の装飾成形品。
【請求項７】
前記剥離可能テープが、前記異形体から個別に除去することができる少なくとも２つの分離した部分を備える、請求項５または６に記載の装飾成形品。
【請求項８】
前記少なくとも２つの部分が、装飾模様の輪郭を画定する１本または複数本の分離線によって互いに分離される、請求項７に記載の装飾成形品。
【請求項９】
前記異形体が、前記表側面に永久に取り付けられる半透明フィルムを備え、前記剥離可能テープが、前記半透明フィルム上の剥離ライナである、請求項５から８のいずれか一項に記載の装飾成形品。
【請求項１０】
幅木である、請求項１から９のいずれか一項に記載の装飾成形品。
【請求項１１】
回り縁、チェアレール、あるいは装飾ドアまたは窓額縁である、請求項１から９のいずれか一項に記載の装飾成形品。
【請求項１２】
請求項３、８、および１０の組合せに記載の装飾成形品。
【請求項１３】
前記凹部に収容されたＬＥＤリボンを備える、請求項１から１２のいずれか一項に記載の装飾成形品。
【請求項１４】
建築物壁面を装飾する方法であって、
請求項５から８のいずれか一項に記載の装飾成形品を提供するステップと、
前記凹部内に、または前記建築物壁面上の前記凹部と対向することになる位置に、ＬＥＤリボンを配置するステップと、
前記装飾成形品を装飾対象の前記建築物壁面に配列し、前記ＬＥＤリボンを電源に接続するステップと、
前記装飾成形品を塗装するステップと、
前記塗装を行った後で、前記剥離可能テープを除去するステップと、
を含む方法。
【請求項１５】
前記装飾成形品が、請求項７または８に記載の装飾成形品であり、前記分離した部分のうちの少なくとも１つが、塗装の前に除去され、前記分離した部分のうちのうちの少なくとも１つが、塗装の後に除去される、請求項１４に記載の方法。
【発明の詳細な説明】
【技術分野】
【０００１】
本発明は、一般に、装飾成形の分野に関する。建築物壁面の装飾成形品は、例えば、幅木（スカーティング）、回り縁、チェアレール、あるいは装飾ドアまたは窓額縁を含む。
【背景技術】
【０００２】
成形品は、表面と表面の間（例えば床面と壁面の間、または天井と壁面の間など）の移行部分を覆う周知の要素である。従来、装飾成形品は、石、セメント、または木で構成されていたが、現在では、このような成形品は、合成材料でも入手可能である。
【０００３】
さらに最近になって、光源が一体化されたスカーティングが利用できるようになっている。このようなスカーティングは、その奥に光源が配列された、１つまたは複数の透明または半透明の窓を備えた本体を含む。窓は、スカーティングの全長にわたって連続的であることもあるし、実質的に整列している複数の窓があることもある。また、その見えている側に１つまたは複数の凹部を備え、その中に間接照明をもたらすように光源が配列されているスカーティングもある。凹部の壁面は、壁面または床面に沿った細い円錐領域から見る場合を除けば、光源が直接見えないように配列される。
【発明の概要】
【課題を解決するための手段】
【０００４】
本発明によれば、建築物壁面の装飾成形品（例えば幅木、回り縁、チェアレール、あるいは装飾ドアまたは窓額縁）は、建築物壁面に取り付けるための裏側面と表側面とを有する異形体を備え、この異形体は、ＬＥＤリボン（ＬＥＤストリップとも呼ばれる）を収容するための裏側面の凹部と、表側面に取り付けられたコーティングフィルムとを有する。この異形体は、半透明な光拡散性材料で構成される。
【０００５】
頭字語「ＬＥＤ」は、発光ダイオードを意味する。ＬＥＤリボンは、ＬＥＤを担持した可撓性ストリップである。ＬＥＤリボンは、支持体に容易に固定するための粘着裏地を備えることも、備えないこともある。ＬＥＤリボンのＬＥＤは、単色ＬＥＤであってもよいし、多色ＬＥＤ（例えばＲＧＢ  ＬＥＤ）であってもよい。ＬＥＤリボンは、個別に操作可能なＬＥＤを備えることが好ましいが、この機能を持たないリボンを使用することもできる。本発明の好ましい実施形態によれば、装飾成形品は、裏側面の凹部に収容されたＬＥＤリボンを備える。
【０００６】
本発明の第１の態様による装飾成形品は、装飾品の本体に窓要素を取り付ける必要がないので、より安い費用で作成することができることは理解されるであろう。
【０００７】
本発明の第１の態様によれば、コーティングフィルムは、透明なベースフィルムおよびプリント層を備え、プリント層は、（異形体にわたって拡散した光について）コーティングフィルムの透過率を局所的に（または空間的に）変調する。この文脈では、変調とは、可ならジスも滑らかな局所的（空間的）変化を意味するとは限らない。実際に、この変化は、急激であることもある。好ましくは、プリント層は、凹部の反対側に配置された１つまたは複数の半透明または透明部分を画定する１つまたは複数の不透明部分を備える。この１つまたは複数の半透明または透明部分により、ＬＥＤリボンから生じた光が、装飾成形品の前の空間を証明することができる一方で、１つまたは複数の不透明部分が、光を遮断する。透過率の局所的変調は、全体強度および／またはスペクトル強度についてのものとすることができる。半透明の光拡散性材料で構成された異形体を、透過率を変調するプリント層と組み合わせて使用することにより、魅力的な外観を有する装飾的発光成形品の製造が大幅に容易になる。
【０００８】
コーティングフィルムは、ポリマー系材料（例えばポリウレタン、ポリイミド、ポリエチレン、ポリ塩化ビニル、ポリエステル、ポリプロピレンなど）からなる、または基本的にはポリマー系材料からなることが好ましい。コーティングフィルムの厚さは、好ましくは１０μｍから１ｍｍの範囲であり、より好ましくは２０μｍから５００μｍの範囲である。プリント層に関しては、印刷によって（すなわちコーティングフィルムを印刷用の基板として使用して）コーティングフィルムの裏側面に直接形成してもよいし、コーティングフィルムの裏側面（すなわち露出しない側）に貼り合わせられた別個のプリント基板（インクを担持する）として設けてもよい。
【０００９】
本発明の別の態様は、コーティングフィルムが剥離可能テープを備える、または剥離可能テープからなる、装飾成形品に関する。したがって、異形体は、ＬＥＤリボンを収容するための裏側面の凹部と、凹部の反対側で表側面に取り付けられた、装飾成形品の長手方向に延びる剥離可能テープ（例えば剥離可能粘着テープまたは剥離ライナ）とを有する。
【００１０】
本発明のさらに別の態様は、このような装飾成形品を使用して建築物壁面を装飾する方法に関する。この方法は、装飾成形品を提供するステップと、凹部内に、または建築物壁面上の凹部と対向することになる位置に、ＬＥＤリボンを配置するステップとを含むことができる（あるいは、ＬＥＤリボンが予め設置された装飾成形品を使用することもできる）。次いで、この成形品を、装飾対象の前記建築物壁面に配列し、ＬＥＤリボンを電源に接続する。これらのステップは、その方が好都合であると考えられる場合には、逆の順序で実行することもできる。装飾品が適所に配置されたら、不透明な塗料を使用して、装飾品を塗装することができる。塗料を塗布した後で、剥離可能テープを除去して、ＬＥＤリボンの光が拡散することができる隙間を形成することができる。本明細書で使用する「塗料」という用語は、湿潤状態で塗布される全ての種類のコーティング（例えばラッカなど）をカバーするように意図されている。
【００１１】
本明細書に提示する成形品により、特有の装飾効果を実現することができることは理解されるであろう。
【００１２】
剥離可能テープは、不透明でもよいし、透明でもよいし、あるいは半透明でもよい。異形体からのテープの除去は、塗料が乾燥した後で行うこともできるし、塗料がまだ湿っているときに行うこともできる。乾燥したときの塗料の凝集力が、乾燥したときの塗料の異形体に対する接着力より強い場合には、後者の場合が好ましい。異形体は、塗料の接着を促進するコーティングを備えることもできる。
【００１３】
異形体は、一定の（すなわち長さが変化しない）断面を有することが好ましい。この場合には、異形体の製造プロセスを特に容易にすることができる。
【００１４】
成形品の好ましい実施形態によれば、異形体は、押出し成形された、好ましくは独立気泡の、ポリマーフォームからなる、または発泡ポリマーフォームからなる。
【００１５】
押出し成形されたポリマーフォームの母材は、ポリスチレン、ポリ塩化ビニル、ポリエチレン、ポリプロピレン、およびポリウレタンからなる一群から選択されることが好ましい。母材に加えて、ポリマーフォームは、加工助剤および添加剤（例えば充填材、顔料など）を含有することもできる。ポリマーフォームは、再生含有物（母材と同じ種類のもの、または異なる種類のもの）を含むこともできることに留意すると有用であることもある。
【００１６】
押出し成形されたポリマーフォームは、顔料および／または充填材を全く含まないことが好ましい。フォームの組成で顔料および／または充填材を使用する場合には、その量は、好ましくは０．１重量％から５重量％の範囲であり、より好ましくは０．１重量％から１重量％の範囲である。顔料を使用するときには、顔料は白いことが好ましい。
【００１７】
異形体は、好ましくは２００ｇ／ｃｍ３から４５０ｇ／ｃｍ３の範囲、より好ましくは３２５ｇ／ｓｍ３から３７５ｇ／ｃｍ３の範囲の密度を有する。ＬＥＤリボンと表側面の間の半透明の光拡散性材料の厚さは、好ましくは１ｍｍから２０ｍｍの範囲、より好ましくは１ｍｍから１５ｍｍの範囲、さらに好ましくは３ｍｍから１０ｍｍの範囲である。
【００１８】
剥離可能テープは、異形体の表側面の全体を覆うことができる。ただし、剥離可能テープは、表側面の高さ全体には及んでいない（例えば５％から８０％に及ぶ、または１０％から５０％に及ぶ）ことが好ましい。
【００１９】
成形品の好ましい実施形態によれば、剥離可能テープは、異形体から個別に除去することができる少なくとも２つの分離した部分を備える。これらの分離した部分が互いに離間して配列されている場合には、それらの間の間隙は、塗料を受け、不透明になることができる。これにより、平行な発光帯を得ることができる。
【００２０】
この少なくとも２つの部分は、互いに直接隣接していてもよいし、装飾模様の輪郭を画定する１本または複数本の分離線によって互いに分離されていてもよい。これらの分離した部分のうちの少なくとも１つを、塗装の前に除去し、これらの分離した部分のうちのうちの少なくとも１つを、塗装の後に除去することもできる。このようにして、装飾模様を塗装して、塗装された模様のネガを拡散光源として残すことができる。分離した部分のうちのどの１つまたは複数を塗装前に除去し、どの１つまたは複数を配置されたまま残すかは、ユーザが自分で決定することができることは理解されるであろう。
【００２１】
代替の実施形態によれば、異形体の表側面は、不透明なコーティング（例えば塗料層、ポリマーシートなど）を担持する。剥離可能テープは、このコーティングの一部であってもよいし、このコーティングとは別個のものであってもよい。不透明なコーティングは、テープまたはその一部を除去することによって、ＬＥＤリボンから発出された光が通過することができる隙間が不透明なコーティングに空くように、剥離可能テープ上に配列することができる。
【００２２】
さらに別の実施形態によれば、異形体は、異形体の表側面に永久に取り付けられる半透明フィルムの形態をしたコーティングフィルムを備え、剥離可能テープは、この半透明フィルム上の剥離ライナである。半透明フィルムは、透明な粘着テープであってもよい。このような半透明フィルムを使用することに１つの利点は、半透明フィルムは、異形体の表側面からわずかに突出するように配列することができることにある。突出部は、表側面の半透明フィルムを取り囲む不透明なコーティングの厚さ、または塗布される塗料の厚さに少なくともほぼ対応するような寸法にすることができる。半透明フィルム（剥離ライナは含まない）の厚さは、好ましくは２０μｍから１ｍｍの範囲であり、より好ましくは２０μｍから５００μｍの範囲であり、さらに好ましくは２５μｍから３００μｍの範囲である。半透明フィルムの別の利点は、半透明フィルムの材料が相応に選択された場合には、保護層の役割を果たすことができることである。最後に、半透明フィルムは、光源が従来の窓部の背後に配列されているような印象を生じることができる。
【００２３】
次に、例示を目的として、添付の図面を参照して本発明の好ましい非限定的な実施形態について詳細に説明する。
【図面の簡単な説明】
【００２４】
【図１】本発明の好ましい実施形態による装飾成形品を示す断面図である。
【図２】塗装前の、壁面と床面の間の隅部に適用したときの図１の装飾成形品を示す三軸図（ｔｒｉｍｅｔｒｉｃ  ｖｉｅｗ）である。
【図３】塗装および剥離テープの除去の後の図１および図２の装飾成形品を示す三軸図である。
【図４】図１の装飾成形品の第１の変形形態を示す断面図である。
【図５】図１の装飾成形品の第２の変形形態を示す断面図である。
【図６】図１の装飾成形品の第３の変形形態を示す断面図である。
【図７】本発明の別の好ましい実施形態による装飾成形品を示す三軸図である。
【図８】本発明のさらに別の好ましい実施形態による装飾成形品を示す三軸図である。
【図９】本発明のさらに別の好ましい実施形態による装飾成形品を示す三軸図である。
【発明を実施するための形態】
【００２５】
図１〜図３は、建築物壁面１２と床面１４の間の角部に配列される装飾成形品（幅木）１０を示す図である。幅木１０は、基本的には、押出し成形された独立気泡ポリマーフォームの異形材１６からなる。異形材１６は、建築物壁面１２に接して取り付けられる裏側面１８と、建築物壁面１２によって画定される部屋に面する表側面２０とを有する。異形材１６は、裏側面１８に凹部２２を有し、その中にＬＥＤリボン２４が配列される。異形材１６は、その表側面２０には、凹部２２とほぼ同じ高さに、剥離可能な（接着）テープ２６を備える。剥離可能テープ２６およびＬＥＤリボン２４は両方とも、幅木１０に沿って延びる。異形材１６の独立気泡ポリマーフォームは、半透明な光拡散性材料である。
【００２６】
幅木１０の設置は、以下のように行われる。ＬＥＤリボン２４を凹部２２内の適所に配置したら、幅木１０を建築物壁面１２に取り付け（例えば接着剤、ねじ、またはクリップで取り付け）、ＬＥＤリボン２４を電源（図示せず）に接続する。成形品１０を適所に配置したら（図２および図３に示す）、成形品１０を不透明な塗料２８を使用して塗装する。塗料を塗布した後で、剥離可能テープ２６を異形材１６から除去して、ＬＥＤリボン２４から発出された光３２が拡散できる隙間３０を形成する。
【００２７】
図４〜図６は、図１〜図３の幅木の変形形態を示す図である。図４および図５の変形形態は、上述の幅木とは、凹部２２内のＬＥＤリボン２４の位置だけが異なる。図６の変形形態では、凹部２２がより深くなっており、その下部が削ってある。ＬＥＤリボン２４は、凹部２２の背面を画定する表面上に配列される。ＬＥＤリボンは、壁面１２上の凹部２２の高さの位置に固定してもよいことに留意されたい。
【００２８】
図７は、異形材１６の表側面の剥離可能テープ２６が複数の部分を備える、装飾成形品１０’を示す図である。テープ部分２６ａと２６ｂとは、互いに離間して、平行に走っている。テープ部分２６ｂは、波形の分離線３４のみによって分離された、互いに隣接する小部分２６ｂ１および２６ｂ２に細分される。
【００２９】
全てのテープ部分（小部分）２６ａ、２６ｂ１、および２６ｂ２を適所に残したまま、異形材１６を塗装することもある。この場合には、剥離可能テープ２６を除去した後で、２本の平行な光ストリップが得られる。あるいは、塗料を塗布する前に、テープの部分（小部分）２６ａ、２６ｂ１、および２６ｂ２のうちの１つまたは複数を除去する。このように、消費者は、同じ製品を使用して、様々な装飾効果を得ることができる。図示の場合では、例えば、塗装の前に小部分２６ｂ１を除去することにより、テープ部分２６ａの位置では直線的な光ストリップを得、テープ小部分２６ｂ２の位置では波形の光ストリップを得ることができる。分離線３４は、非常に単純な装飾模様の輪郭を規定しており、より複雑な装飾模様も同様に生成することもできることは理解されるであろう。このような模様は、周期的なものであっても、そうでなくてもよい。さらに、剥離可能テープの各部分（小部分）は、装飾成形品の全長にわたって連続している必要はなく、剥離可能テープは、特に、中断部分および／または島部分を有することもできる。
【００３０】
図８は、本発明のさらに別の実施形態による装飾成形品１０’’を示す図である。前述の幅木１０および１０’と同様に、幅木１０’’は、基本的には、半透明で、光拡散性の、押出し成形された、独立気泡ポリマーフォームの異形材１６からなる。異形材１６は、裏側面１８および表側面２０を有する。裏側面１８の凹部２２は、ＬＥＤリボン２４を収容する。異形材１６は、その表側面２０の凹部２２の反対側に、透明または半透明テープ２５を備える。この透明または半透明テープ２５は、永久接着剤層２５ｂによって表側面２０に貼付される、透明または半透明フィルム２５ａを備える。フィルム２５ａの表側面は、剥離ライナ２６’（これ自体は半透明であっても不透明であってもよい）で保護される。
【００３１】
幅木１０’’の設置は、以下のように行われる。ＬＥＤリボン２４を適所（凹部２２内または壁面１２上）に配置したら、幅木１０’’を建築物壁面１２に取り付け（例えば接着剤、ねじ、またはクリップで取り付け）、ＬＥＤリボン２４を電源（図示せず）に接続する。成形品１０’’を適所に配置したら、成形品１０’’を不透明な塗料を用いて塗装することができ、剥離ライナ２６’を除去して、透明または半透明テープ２５を露出させる。高品位な仕上がりにするために、塗料は、透明または半透明テープ２５と同じ厚さ、またはほぼ同じ厚さで塗布することが好ましい。
【００３２】
図９は、本発明のさらに別の実施形態による装飾成形品１０’’’を示す図である。幅木１０’’’は、基本的には、半透明で、光拡散性の、押出し成形された、独立気泡ポリマーフォームの異形材１６からなる。異形材１６は、裏側面１８および表側面２０を有する。裏側面１８の凹部２２は、ＬＥＤリボン２４を収容する。異形材１６は、その表側面２０の凹部２２の反対側に、透明ベースフィルム２９とプリント層３１とからなるコーティングフィルム２７を担持している。プリント層３１は、コーティングフィルム２７の透過率を全体として空間変調する。具体的には、プリント層３１は、プリント層に隙間３３（ここではストリップ状）を画定する不透明部分を備える。より複雑な模様が形成された隙間を生じるプリント層も、もちろん可能である。
【００３３】
本明細書では、具体的な実施形態について説明したが、当業者なら、本開示の全体的な教示に照らして、これらの詳細に対する様々な修正および代替を考案することができることは理解するであろう。したがって、開示した特定の構成は、単なる例示のためのものであり、添付の特許請求の範囲ならびにその任意および全ての均等物の全範囲が与えられる本発明の範囲を限定するものではない。
【符号の説明】
【００３４】
１０、１０’、１０’’、１０’’’  装飾成形品（幅木）
１２  建築物壁面
１４  床面
１６  異形材
１８  裏側面
２０  表側面
２２  凹部
２４  ＬＥＤリボン
２５  透明または半透明テープ
２５ａ  透明または半透明フィルム
２５ｂ  永久接着剤層
２６  剥離可能テープ
２６’  剥離ライナ
２６ａ、２６ｂ  テープ部分
２６ｂ１、２６ｂ２  小部分
２７  コーティングフィルム
２８  不透明な塗料
２９  透明ベースフィルム
３０  隙間
３１  プリント層
３４  分離線
【図１】
2017089374.tif 000003
【図２】
2017089374.tif 000004
【図３】
2017089374.tif 000005
【図４】
2017089374.tif 000006
【図５】
2017089374.tif 000007
【図６】
2017089374.tif 000008
【図７】
2017089374.tif 000009
【図８】
2017089374.tif 000010
【図９】
2017089374.tif 000011
【外国語明細書】
2017089374000001.pdf